【手続補正書】
【提出日】令和3年9月30日(2021.9.30)
【手続補正１】
【補正対象書類名】特許請求の範囲
【補正対象項目名】全文
【補正方法】変更
【補正の内容】
【特許請求の範囲】
【請求項１】
バッテリの要求充電時間を受信するステップと、
複数の充電ステップの複数の充電電流及び前記要求充電時間に基づいて決定された充電制限条件に応じて前記バッテリを充電するステップと、
前記複数の充電電流が印加された前記バッテリの前記充電ステップごとの少なくとも１つの内部状態を推定するステップと、
前記推定された内部状態に基づいて、前記充電制限条件を調整するステップと、
前記調整された充電制限条件に基づいて、前記複数の充電電流及び前記充電電流の複数の充電時間を含む充電プロファイルを生成するステップと、
を含むバッテリ充電方法。
【請求項２】
前記充電制限条件は、前記バッテリの劣化を防止しながら前記バッテリを前記要求充電時間の期間に充電させるために前記バッテリの充電を制限する条件である、
請求項１に記載のバッテリ充電方法。
【請求項３】
前記充電制限条件は、前記複数の充電ステップごとの最大充電時間及び内部状態条件のうち少なくとも１つを含み、
前記内部状態条件は、前記バッテリの電気化学モデルに基づき、前記バッテリの劣化に影響を及ぼす少なくとも１つの内部状態を含む、
請求項１に記載のバッテリ充電方法。
【請求項４】
前記内部状態条件は、負極過電位条件、正極過電位条件、負極表面リチウムイオン濃度条件、正極表面リチウムイオン濃度条件、セル電圧条件、ＳＯＣ（Ｓｔａｔｅ  Ｏｆ  Ｃｈａｒｇｅ）条件のうち少なくとも１つを含む、
請求項３に記載のバッテリ充電方法。
【請求項５】
前記充電制限条件を調整するステップは、
前記複数の充電電流に基づいて前記充電制限条件を初期化するステップと、
前記バッテリの劣化条件及び前記バッテリの電気化学モデルに基づいて、前記バッテリの劣化を防止しながら前記バッテリを前記要求充電時間の期間に充電させるように前記初期化された充電制限条件を最適化するステップと、
を含み、
前記劣化条件は、前記バッテリの内部状態が達すれば、劣化を引き起こす条件である、
請求項１に記載のバッテリ充電方法。
【請求項６】
前記充電制限条件を最適化するステップは、
前記初期化された充電制限条件内の内部状態条件及び前記内部状態条件に対応する複数の劣化条件を取得するステップと、
前記複数の内部状態条件及び前記複数の劣化条件の差がそれぞれ入力される複数の関数から複数の関数値を生成するステップと、
前記関数値の和及び前記電気化学モデルに基づいて、前記内部状態条件のうち少なくとも１つを調整するステップと、
を含む、
請求項５に記載のバッテリ充電方法。
【請求項７】
前記複数の関数は、前記複数の差が大きくなるほど前記複数の関数値が小さくなるようにそれぞれ定義され、
前記内部状態条件のうち少なくとも１つを調整するステップは、前記バッテリを前記要求充電時間の期間に充電させる条件で前記和が最小化されるよう、前記電気化学モデルに基づいて前記内部状態条件のうち少なくとも１つを調整するステップを含む、
請求項６に記載のバッテリ充電方法。
【請求項８】
前記劣化条件及び前記初期化された充電制限条件のうち少なくとも１つは、前記バッテリのＳＯＨ（Ｓｔａｔｅ  Ｏｆ  Ｈｅａｌｔｈ）に基づいて設定される、
請求項５に記載のバッテリ充電方法。
【請求項９】
前記電気化学モデルは、前記バッテリの劣化因子が適用される、
請求項３に記載のバッテリ充電方法。
【請求項１０】
前記劣化因子は、負極表面の抵抗、正極表面の抵抗、負極活物質の減少、正極活物質の減少のうち少なくとも１つを含む、
請求項９に記載のバッテリ充電方法。
【請求項１１】
前記方法は、さらに、
前記バッテリのＳＯＨを推定するステップと、
前記ＳＯＨに基づいて、前記バッテリの劣化因子を取得するステップと、
前記劣化因子を前記電気化学モデルに適用するステップと、
を含む、
請求項３に記載のバッテリ充電方法。
【請求項１２】
前記方法は、さらに、
前記バッテリの現在ＳＯＣから予め定義されたＳＯＣに前記バッテリを充電させる場合、前記推定された内部状態を予め定義された限界状態に達するように最大許容電流を生成するステップと、
を含み、
前記複数の充電電流を生成するステップは、前記最大許容電流を超えないように複数の充電電流を生成するステップを含む、
請求項１に記載のバッテリ充電方法。
【請求項１３】
前記最大許容電流及び前記要求充電時間に基づいて、前記要求充電時間内に前記バッテリを充電させるか否かを判断するステップ、をさらに含む、
請求項１２に記載のバッテリ充電方法。
【請求項１４】
前記バッテリを充電するステップは、
前記バッテリの要求充電容量及び前記要求充電時間に基づいて、平均充電電流を生成するステップと、
前記平均充電電流に基づいて、充電ステップの個数及び前記充電ステップの複数の充電電流を生成するステップと、
を含む、
請求項１に記載のバッテリ充電方法。
【請求項１５】
前記個数及び前記複数の充電電流は、前記バッテリのＳＯＨにさらに基づいて生成されることを含む、
請求項１４に記載のバッテリ充電方法。
【請求項１６】
前記バッテリを充電するステップは、前記平均充電電流に対応するルックアップテーブル又は予め定義された電流範囲に基づいて、充電ステップの個数及び前記充電ステップの複数の充電電流を生成するステップを含む、
請求項１４に記載のバッテリ充電方法。
【請求項１７】
前記充電プロファイルを生成するステップは、
前記推定された内部状態が前記調整された充電制限条件内の前記充電ステップごとの少なくとも１つの内部状態条件に達するか否かに基づいて、前記複数の充電電流の複数の充電時間を生成するステップと、
を含む、
請求項１に記載のバッテリ充電方法。
【請求項１８】
前記複数の充電時間を生成するステップは、
第１充電ステップの第１最大充電時間内で、前記第１充電ステップの第１充電電流が印加された前記バッテリの少なくとも１つの第１内部状態が、前記第１充電ステップの少なくとも１つの第１内部状態条件に達するか否かを判断するステップと、
前記第１内部状態が前記第１内部状態条件に達する場合、前記第１内部状態が前記第１内部状態条件に達する時点に基づいて、前記第１充電電流の第１充電時間を判断するステップと、
前記第１内部状態が前記第１内部状態条件に達しない場合、前記第１最大充電時間に基づいて前記第１充電電流の第１充電時間を判断するステップと、
前記第１充電時間及び前記第１充電ステップの次のステップである第２充電ステップの第２充電時間に基づいて、前記複数の充電電流の複数の充電時間を生成するステップと、
を含む、
請求項１７に記載のバッテリ充電方法。
【請求項１９】
前記バッテリの前記要求充電時間は、ユーザによって入力された時間値、装置−提供時間、データベースから受信された時間値、及び外部サーバから受信された時間値のうち少なくとも１つを含む、
請求項１に記載のバッテリ充電方法。
【請求項２０】
ハードウェアと結合して請求項１乃至１９のいずれか一項に記載の方法を実行させるために記録媒体に格納されたコンピュータプログラム。
【請求項２１】
バッテリの要求充電時間を受信し、複数の充電ステップの複数の充電電流及び前記要求充電時間に基づいて決定された充電制限条件に応じて前記バッテリを充電し、前記複数の充電電流が印加された前記バッテリの前記充電ステップごとの少なくとも１つの内部状態を推定し、前記推定された内部状態に基づいて前記充電制限条件を調整し、前記調整された充電制限条件に基づいて、前記複数の充電電流及び前記複数の充電電流の複数の充電時間を含む充電プロファイルを生成する、プロセッサ、
を含む、バッテリ充電装置。